(57)【要約】【課題】区画板によって区画された２つの流路内の水の流れに摩擦損失が発生することを抑制し、水力機械の効率を向上できる水力機械の吸出し管を提供する。【解決手段】実施の形態による水力機械１の吸出し管８は、ランナ５の側に配置される上部管１０と、上部管１０に曲がり管１１を介して連結され、流路断面積が下流側に向かって増加する拡大管１２と、拡大管１２の内部を、第１流路２１と第２流路２２とに水平方向に区画する区画板１３と、を備えている。第１流路２１は、曲がり管１１の出口において上流側から見たときに、ランナ５の回転方向に沿って旋回する水流が下側から上側に上昇する側に配置されている。第１流路２１の流路断面積は、第２流路２２の流路断面積より大きくなっている。【選択図】図２
2015206293.tif 000002
【特許請求の範囲】
【請求項１】
流入する流水によって回転駆動されるランナを通過した流水が流れる水力機械の吸出し管であって、
前記ランナの側に配置される上部管と、
前記上部管に曲がり管を介して連結され、流路断面積が下流側に向かって増加する拡大管と、
前記拡大管の内部を、第１流路と第２流路とに水平方向に区画する区画板と、を備え、
前記第１流路は、前記曲がり管の出口において上流側から見たときに、前記ランナの回転方向に沿って旋回する水流が下側から上側に上昇する側に配置され、
前記第１流路の流路断面積は、前記第２流路の流路断面積より大きいことを特徴とする水力機械の吸出し管。
【請求項２】
上方から見たときに、前記拡大管の中心軸線を延長した延長線は、前記ランナの回転軸線に交わることを特徴とする請求項１に記載の水力機械の吸出し管。
【請求項３】
上方から見たときに、前記区画板の中心線を延長した延長線は、前記ランナの回転軸線に交わることを特徴とする請求項１に記載の水力機械の吸出し管。
【請求項４】
前記第１流路の高さが、前記第２流路の高さより高いことを特徴とする請求項１に記載の水力機械の吸出し管。
【請求項５】
前記第２流路の天井面または底面に、第２流路用肉盛部が設けられていることを特徴とする請求項４に記載の水力機械の吸出し管。
【請求項６】
前記第１流路の天井面または底面に、第１流路用肉盛部が設けられていることを特徴とする請求項５に記載の水力機械の吸出し管。
【請求項７】
上流側または下流側から見たときに、前記第１流路の天井面および前記第２流路の天井面は傾斜して互いの延長上に配置されていることを特徴とする請求項４に記載の水力機械の吸出し管。
【請求項８】
上方から見たときに、前記区画板の中心線は前記拡大管の中心軸線上に配置されていることを特徴とする請求項４乃至７のいずれか一項に記載の水力機械の吸出し管。
【請求項９】
前記第１流路の流路断面積は、前記第２流路の流路断面積の１．１倍であることを特徴とする請求項１乃至８のいずれか一項に記載の水力機械の吸出し管。
【発明の詳細な説明】
【技術分野】
【０００１】
本発明の実施の形態は、水力機械の吸出し管に関する。
【背景技術】
【０００２】
水力発電に利用される水力機械には様々な種類があるが、エルボ（曲がり管）を有する吸出し管の典型的な例として、立軸型フランシス水車が知られている。このようなフランシス水車においては、上池より鉄管を通って流入される圧力水が、ケーシングとステーベーンを通り、流量調整を行うガイドベーンを通ってランナへと流れる。水の圧力エネルギは、ランナの回転エネルギへと変換され、ランナの回転駆動力が主軸を介して結合された発電機に伝達されることにより発電が行われる。ランナを通過した流水は、吸出し管を通って下流の下池へと排出される。
【０００３】
吸出し管５０は、図７に示すように、ランナの側に設けられた上部ドラフト６０と、上部ドラフト６０にエルボ６１を介して連結された拡大管６２と、を有している。このうち拡大管６２に、図８に示すようにピア６３（区画板）が設けられ、拡大管６２を補強する場合がある。この場合、ピア６３によって、拡大管６２内の流路が２つに区画される。
【先行技術文献】
【特許文献】
【０００４】
【特許文献１】特許第４５６５００８号公報
【特許文献２】特開２００９−１２７５７２号公報
【発明の概要】
【発明が解決しようとする課題】
【０００５】
通常の運転範囲（過負荷運転でない範囲）においては、ランナを通過した流水は、ランナの回転方向に沿って旋回しながら、吸出し管内を下流に向って流れる。この際、水は上部ドラフト、エルボを通過し、拡大管においてピアにより流れが分断され、更に下流に向う。
【０００６】
しかしながら、拡大管に流入する水の流れは、図８に示すように偏る傾向にある。図８には、拡大管に流入する水の流れの流速の分布Ｖ１（より詳細には、主流方向の速度成分の分布）と、拡大管から流出する水の流れの流速の分布Ｖ２が示されている。すなわち、図８において上側の流路に流入して当該流路を流れる水の流速が、下側の流路に流入して当該流路を流れる水の流速より大きくなる。このため、拡大管内の２つの流路を流れる水の流れに摩擦損失が発生し、水力機械の効率が損なわれ得るという課題がある。
【０００７】
本発明は、このような点を考慮してなされたものであり、区画板によって区画された２つの流路内の水の流れに摩擦損失が発生することを抑制し、水力機械の効率を向上できる水力機械の吸出し管を提供することを目的とする。
【課題を解決するための手段】
【０００８】
実施の形態による水力機械の吸出し管は、流入する流水によって回転駆動されるランナを通過した流水が流れる水力機械の吸出し管である。この吸出し管は、ランナの側に配置される上部管と、上部管に曲がり管を介して連結され、流路断面積が下流側に向かって増加する拡大管と、拡大管の内部を、第１流路と第２流路とに水平方向に区画する区画板と、を備えている。第１流路は、曲がり管の出口において上流側から見たときに、ランナの回転方向に沿って旋回する水流が下側から上側に上昇する側に配置されている。第１流路の流路断面積は、第２流路の流路断面積より大きくなっている。
【図面の簡単な説明】
【０００９】
【図１】図１は、第１の実施の形態におけるフランシス水車の全体構成を示す断面模式図である。
【図２】図２は、図１のフランシス水車における、吸出し管を上方から見た部分断面図である。
【図３】図３は、図２のＡ−Ａ線断面図である。
【図４】図４は、第２の実施の形態において、吸出し管を上方から見た部分断面図である。
【図５】図５は、第３の実施の形態において、吸出し管を下流側から見た部分断面図である。
【図６】図６は、第４の実施の形態において、吸出し管を示す斜視図である。
【図７】図７は、一般的な吸出し管を示す側面図である。
【図８】図８は、上方から見た、図６の吸出し管を上方から見た部分断面図である。
【発明を実施するための形態】
【００１０】
以下、図面を参照して、本発明の実施の形態における水力機械の吸出し管について説明する。
【００１１】
（第１の実施の形態）
図１乃至図３を用いて、本発明の第１の実施の形態における水力機械の吸出し管について説明する。
【００１２】
ここでは、まず、水力機械の一例として、吸出し管を備えたフランシス水車について図１を用いて説明する。図１は、フランシス水車の全体構成を示す断面模式図である。
【００１３】
図１に示すように、フランシス水車１は、水車運転時に上池から水圧鉄管（いずれも図示せず）を通って水が流入する渦巻き状のケーシング２と、複数のステーベーン３と、複数のガイドベーン４と、ランナ５と、を備えている。このうちステーベーン３は、ケーシング２に流入した水をガイドベーン４およびランナ５に導くためのものであり、周方向に所定の間隔をあけて配置され、ステーベーン３の間に水が流れる流路が形成されている。ガイドベーン４は、流入した水をランナ５に導くためのものであり、周方向に所定の間隔をあけて配置され、ガイドベーン４の間に水が流れる流路が形成されている。また、ガイドベーン４は回動自在に構成されており、ガイドベーン４が回動して開度を変えることにより、ランナ５に流入する水の流量が調整可能になっている。このようにして、後述する発電機７の発電量が調整可能になっている。
【００１４】
ランナ５は、ケーシング２に対して回転軸線Ｘを中心に回転自在に構成され、水車運転時にケーシング２から流入する水によって回転駆動される。すなわち、ランナ５は、ランナ５に流入する流水の圧力エネルギを回転エネルギへと変換するためのものである。本実施の形態におけるランナ５は、上方から見たときに、時計回り（右回り）に回転するようになっている。
【００１５】
ランナ５には、主軸６を介して発電機７が結合されている。この発電機７は、水車運転時には、ランナ５の回転エネルギが伝達されて発電を行うように構成されている。
【００１６】
ランナ５の下流側には、ランナ５を通過した流水が流れる吸出し管８が設けられている。吸出し管８を流れる際に流水の圧力は回復する。吸出し管８を流れた水は、図示しない下池へと放出される。なお、発電機７は、電動機としての機能をも有し、電力が供給されることによりランナ５を回転駆動するように構成されていてもよい。この場合、吸出し管８を介して下池の水を吸い上げて上池に放出させることができ、フランシス水車１をポンプ運転（揚水運転）することが可能になる。
【００１７】
次に、上述した吸出し管８について、図１乃至図３を用いてより詳細に説明する。ここで、図２は、吸出し管８を上方から見た部分断面図であり、図３は、図２のＡ−Ａ線断面図、すなわち、上流側から下流側に向って見た場合における後述の拡大管１２の入口を示す断面図である。
【００１８】
図１および図２に示すように、吸出し管８は、ランナ５の側に配置される上部ドラフト１０（上部管）と、上部ドラフト１０にエルボ１１（曲がり管）を介して連結され、流路断面積が下流側に向けて増加していく拡大管１２と、を備えている。このうち上部ドラフト１０は、上部ドラフト１０を流れる流水の主流方向（大局的に見たときの水の流れの方向、図１の太線矢印参照）が略垂直となるように形成され、拡大管１２は、拡大管１２を流れる流水の主流方向が略水平に（水平に延びるように、若しくは水平に対して所望の振り上げ角度で延びるように）形成されている。エルボ１１は、このような上部ドラフト１０と拡大管１２とを連結するために、エルボ１１を流れる流水の主流方向を曲げるように形成されている。
【００１９】
図２および図３に示すように、拡大管１２の内部には、ピア１３（区画板）が設けられている。このピア１３は、拡大管１２の内部を、第１流路２１と第２流路２２とに水平方向に区画する。すなわち、ピア１３は、その板面が略垂直に沿うように配置されるとともに拡大管１２の入口端近傍から出口端まで拡大管１２の長手方向に沿って延びるように形成されている。
【００２０】
第１流路２１は、図３に示すように、エルボ１１の出口において上流側から下流側に向って見たときに、ランナ５の回転方向Ｐに沿って旋回する水流が、エルボ１１の一方の側壁１１ａに沿って下側から上側に上昇する側（図３の左側）に配置されている。ここで、図３に示す矢印Ｑは、エルボ１１の出口における水流が旋回する方向を示しており、水流は、ランナ５の回転方向Ｐに沿って旋回している。すなわち、ランナ５は、上述したように上方から見たときに時計回りの方向に回転するため、このランナ５を通過して吸出し管８内を流れる水流は、上流側から下流側に向って見たときに、時計回りの方向に旋回する。一方、第２流路２２は、ランナ５の回転方向Ｐに沿って旋回する水流が、エルボ１１の他方の側壁１１ｂに沿って上側から下側に下降する側（図３の右側）に配置されている。
【００２１】
そして、第１流路２１の流路断面積は、第２流路２２の流路断面積より大きくなっている。
【００２２】
本実施の形態においては、図２に示すように、上方から見たときに、拡大管１２の中心軸線Ｙを延長した延長線Ｙ’は、ランナ５の回転軸線Ｘに交わっている。この場合、吸出し管８の上部ドラフト１０、エルボ１１および拡大管１２を、ランナ５の回転軸線Ｘに対して対称的に形成することができる。また、上方から見たときのピア１３の中心線Ｃは、拡大管１２の中心軸線Ｙに対してオフセットされている（図２において下側に偏心している）。このようにして、第１流路２１の流路断面積が、第２流路２２の流路断面積より大きくなっている。第１流路２１の流路断面積は、第２流路２２の流路断面積の１．１倍であることが好適である。
【００２３】
次に、このような構成からなる本実施の形態の作用について説明する。
【００２４】
本実施の形態によるフランシス水車１において水車運転を行う場合、図１に示すように、上池（図示せず）から水圧鉄管を通ってケーシング２に水が流入する。ケーシング２に流入した水は、ケーシング２からステーベーン３およびガイドベーン４を通ってランナ５に流入する。このランナ５へ流入した水によって、ランナ５が回転駆動される。このことにより、ランナ５に結合された発電機７が駆動されて発電が行われる。ランナ５に流入した水は、ランナ５から吸出し管８を通って、図示しない下池へ放出される。
【００２５】
ランナ５の出口における水の流れは、落差や出力など運転点の違いによって大きく変化し得る。しかしながら、通常の運転範囲（過負荷でない場合）においては、ランナ５を通過した流水は、ランナ５の回転方向Ｐ（図２参照）と同様の方向に旋回しながら下流に流れる。すなわち、上方から見てランナ５が時計回りに回転している場合、ランナ５の出口における水の流れは、上流側から下流側に向って見たときに時計回りの方向に旋回する。このため、ランナ５を通過した流水は、この方向に旋回しながら、吸出し管８の上部ドラフト１０およびエルボ１１を通って拡大管１２に導かれる。拡大管１２において水の流れは、ピア１３によって区画された第１流路２１と第２流路２２に分断されて更に下流に向う。
【００２６】
拡大管１２に流入する流水は、旋回しながらエルボ１１を通ってその主流方向が略垂直方向から略水平方向に変えられている。すなわち、エルボ１１の管壁のうち図１のような断面視において曲率が小さい内周側壁１１ｃ（図１参照）の主流方向長さが、曲率が大きい外周側壁１１ｄ（図１参照）の主流方向長さより短くなっている。このことにより、エルボ１１の出口において、旋回する流れのうち内周側壁１１ｃの側の部分は、外周側壁１１の側の部分より主流方向に進む。このため、上流側から下流側に向って見たときに、エルボ１１の一方の側壁１１ａに沿って下側から上側に上昇する側（図３の左側）において、流水の流速（より詳細には当該流速の主流方向成分）が大きくなり、他方の側壁１１ｂに沿って上側から下側に下降する側（図３の右側）において、流水の流速が小さくなり得る。すなわち、拡大管１２に流入する水の流れが、偏る傾向にある（図８参照）。
【００２７】
本実施の形態においては、エルボ１１の出口において上流側から下流側に向って見たときに、ランナ５の回転方向Ｐに沿って方向Ｑに旋回する水流が下側から上側に上昇する側（図３の左側）に形成された第１流路２１の流路断面積が、反対側（図３の右側）の第２流路２２の流路断面積より大きくなっている。より具体的には、垂直方向に延びるピア１３が、拡大管１２の中心軸に対して、旋回する水流が上側から下側に下降する側（図３の右側）にオフセットされている。このことにより、流速が大きくなり得る側の流路断面積を大きくすることができる。すなわち、流速が大きくなった流水は、流路断面積が大きい第１流路２１にスムースに流入することができる。
【００２８】
このように本実施の形態によれば、拡大管１２の内部がピア１３によって第１流路２１と第２流路２２とに区画され、エルボ１１の出口において上流側から下流側に向って見たときに、ランナ５の回転方向Ｐに沿って旋回する水流が下側から上側に上昇する側に、流路断面積が大きい第１流路２１が形成されている。このことにより、旋回する水流が下側から上側に上昇する側の流水の流速が大きくなった場合においても、当該流水は第１流路２１にスムースに流入することができる。このため、拡大管１２に流入した流水を、ピア１３によって区画された第１流路２１および第２流路２２にスムースに流すことができる。この結果、ピア１３によって区画された第１流路２１および第２流路２２内の水の流れに摩擦損失が発生することを抑制し、フランシス水車１の効率を向上できる。
【００２９】
また、本実施の形態によれば、上方から見たときに、拡大管１２の中心軸線Ｙを延長した延長線Ｙ’が、ランナ５の回転軸線Ｘに交わっている。このことにより、吸出し管８の上部ドラフト１０、エルボ１１および拡大管１２を、ランナ５の回転軸線Ｘに対して対称的に形成することができる。このため、吸出し管８の形状および構造が複雑になって吸出し管８の加工作業が煩雑化することを防止できる。
【００３０】
さらに、本実施の形態において、第１流路２１の流路断面積が、第２流路２２の流路断面積の１．１倍である場合、第１流路２１および第２流路２２内の水の流れに摩擦損失が発生することをより一層抑制することができる。すなわち、本発明者らは、図１に示す形態を模擬したシミュレーションを行ったところ、第１流路２１の流路断面積が、第２流路２２の流路断面積の１．１倍となる場合に、摩擦損失がより一層抑制可能であることを見いだした。このことから、第１流路２１の流路断面積が、第２流路２２の流路断面積の１．１倍であることが好適である。
【００３１】
（第２の実施の形態）
次に、図４を用いて、本発明の第２の実施の形態における水力機械の吸出し管について説明する。
【００３２】
図４に示す第２の実施の形態においては、上方から見たときに、ピアの中心線を延長した延長線が、ランナの回転軸線に交わる点が主に異なり、他の構成は、図１乃至図３に示す第１の実施の形態と略同一である。なお、図４において、図１乃至図３に示す第１の実施の形態と同一部分には同一符号を付して詳細な説明は省略する。
【００３３】
図４に示すように、上方から見たときに、ピア１３の中心線Ｃを延長した延長線Ｃ’は、ランナ５の回転軸線Ｘに交わっている。言い換えると、上方から見たときに、拡大管１２の中心軸線Ｙを延長した延長線Ｙ’は、ランナ５の回転軸線Ｘに交わることなく、当該回転軸線Ｘに対して図４の上側にオフセットされている。そして、このように形成された拡大管１２を上部ドラフト１０に連結するために、エルボ１１のうち第１流路２１の側の部分が広がるようにエルボ１１が形成されている。すなわち、エルボ１１において、ピア１３の中心線Ｃを延長した延長線Ｃ’に対して第１流路２１の側（図４における上側）の部分は、第２流路２２の側（図４における下側）の部分よりも、上流側から下流側に向って流路断面積がより一層増加するように形成されている。
【００３４】
このように本実施の形態によれば、上方から見たときに、ピア１３の中心線Ｃを延長した延長線Ｃ’が、ランナ５の回転軸線Ｘに交わっていることにより、エルボ１１のうち第１流路２１の側の部分を広げることができる。このため、拡大管１２の入口において、旋回する水流が下側から上側に上昇する側、すなわち第１流路２１の側の流水の流速が大きくなった場合においても、当該流水は第１流路２１により一層スムースに流入することができる。
【００３５】
（第３の実施の形態）
次に、図５を用いて、本発明の第３の実施の形態における水力機械の吸出し管について説明する。
【００３６】
図５に示す第３の実施の形態においては、第１流路の高さが第２流路の高さより高い点が主に異なり、他の構成は、図１乃至図３に示す第１の実施の形態と略同一である。なお、図５において、図１乃至図３に示す第１の実施の形態と同一部分には同一符号を付して詳細な説明は省略する。
【００３７】
図５に示すように、上方から見たときに、ピア１３の中心線Ｃが拡大管１２の中心軸線Ｙ上に配置されている。すなわち、本実施の形態における中心線Ｃと中心軸線Ｙとの関係は、図８に示すピア６３の中心線と拡大管６２の中心軸線との関係と同じである。
【００３８】
そして、第１流路２１の高さｈ１が、第２流路２２の高さｈ２より高くなっている。
【００３９】
本実施の形態では、第１流路２１の天井面２１ａに、第１流路用肉盛部２３が設けられ、第２流路２２の天井面２２ａに、第２流路用肉盛部２４が設けられている。このような肉盛部２３、２４は、例えば、既設のフランシス水車１において、同じ高さで形成されていた第１流路２１と第２流路２２の高さを変更することを目的として、各流路２１、２２の天井面２１ａ、２２ａにコンクリートを盛る（または埋める）ことによって、好適に形成することができる。この場合、第１流路用肉盛部２３は、第２流路用肉盛部２４より薄く形成される。また、第１流路用肉盛部２３は、水の流れに剥離などによる損失を防止可能であれば、第１流路２１の長手方向における一部に設けられていてもよく、あるいは、全体にわたって（入口から出口にわたって）設けられていてもよい。
【００４０】
このように本実施の形態によれば、上方から見たときにピア１３の中心線Ｃを、拡大管１２の中心軸線Ｙ上に配置し、第１流路２１の高さｈ１を第２流路２２の高さｈ２より高くしている。このことにより、吸出し管８の設置スペースが限られている場合であっても、第１流路２１の流路断面積が第２流路２２の流路断面積より大きい拡大管１２を有する吸出し管８を設置することができる。すなわち、このような拡大管１２のスペース効率を向上させることができる。また、第１流路２１の流路断面積を第２流路２２の流路断面積より大きくしながら、拡大管１２を中心軸線Ｙに対して対称的に形成することができる。このことにより、拡大管１２の形状および構造が複雑になって拡大管１２の加工作業が煩雑化することを防止できる。
【００４１】
また、本実施の形態によれば、第２流路２２の天井面２２ａに、第２流路用肉盛部２４が設けられている。このことにより、同じ高さで形成されていた既設の第１流路２１と第２流路２２において、第１流路２１の高さｈ１を第２流路２２の高さｈ２より高くして、第１流路２１の流路断面積を第２流路２２の流路断面積より大きくするように容易に改修することができる。この場合、改修規模が大きくなり得るピア１３の移動をすることなく、第１流路２１の流路断面積を容易に大きくすることができる。このため、フランシス水車１の改修規模を小さくすることができる。
【００４２】
なお、上述した本実施の形態においては、上方から見たときに、ピア１３の中心線Ｃが拡大管１２の中心軸線Ｙ上に配置されている例について説明した。しかしながら、このことに限られることはなく、第１流路２１の高さを第２流路２２の高さより高くして、第１流路２１の流路断面積が第２流路２２の流路断面積より大きくなれば、これに限られることはない。
【００４３】
また、上述した本実施の形態においては、第１流路２１の天井面２１ａに第１流路用肉盛部２３が設けられ、第２流路２２の天井面２２ａに第２流路用肉盛部２４が設けられている例について説明した。しかしながら、このことにかぎられることはなく、第１流路２１の高さを第２流路２２の高さより高くすることができれば、第１流路２１の天井面２１ａに第１流路用肉盛部２３が設けられていなくてもよい。また、第１流路２１の高さを第２流路２２の高さより高くすることができれば、第１流路用肉盛部２３は第１流路２１の底面２１ｂに設けられてもよく、第２流路用肉盛部２４は第２流路２２の底面２２ｂに設けられていてもよい。
【００４４】
（第４の実施の形態）
次に、図６を用いて、本発明の第４の実施の形態における水力機械の吸出し管について説明する。
【００４５】
図６に示す第４の実施の形態においては、上流側から見たときに第１流路の天井面および第２流路２２の天井面が傾斜して互いの延長上に配置されている点が主に異なり、他の構成は、図５に示す第３の実施の形態と略同一である。なお、図６において、図５に示す第３の実施の形態と同一部分には同一符号を付して詳細な説明は省略する。
【００４６】
図６に示すように、上流側または下流側から見たときに、第１流路２１の天井面２１ａおよび第２流路２２の天井面２２ａは傾斜して互いの延長上に配置されている。すなわち、第２流路２２から第１流路２１に向って、各天井面２１ａ、２２ａが高くなるように形成されている。すなわち、第１流路２１の高さｈ１が、第２流路２２の高さｈ２より高くなっている。
【００４７】
このように本実施の形態によれば、上流側から見たときに、第１流路２１の天井面２１ａおよび第２流路２２の天井面２２ａが傾斜して互いの延長上に配置されている。このことにより、吸出し管８の設置平面スペースが限られている場合であっても、第１流路２１の流路断面積が第２流路２２の流路断面積より大きい拡大管１２を有する吸出し管８を設置することができる。すなわち、このような拡大管１２のスペース効率を向上させることができる。また、第１流路２１の流路断面積を第２流路２２の流路断面積より大きくしながら、拡大管１２を中心軸線Ｙに対して対称的に形成することができる。このことにより、拡大管１２の形状および構造が複雑になることを防止できる。
【００４８】
なお、上述した本実施の形態においては、上方から見たときに、ピア１３の中心線Ｃが拡大管１２の中心軸線Ｙ上に配置されている例について説明した。しかしながら、このことに限られることはなく、第１流路２１の高さを第２流路２２の高さより高くして、第１流路２１の流路断面積が第２流路２２の流路断面積より大きくなれば、これに限られることはない。
【００４９】
以上述べた実施形態によれば、区画板によって区画された２つの流路内の水の流れに摩擦損失が発生することを抑制し、水力機械の効率を向上できる。
【００５０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。また、当然のことながら、本発明の要旨の範囲内で、これらの実施の形態を、部分的に適宜組み合わせることも可能である。
【００５１】
さらに、上述した実施の形態では、水力機械の一例としてフランシス水車を例にとって説明したが、このことに限られることはなく、エルボ（曲がり管）を有する吸出し管を備えた水力機械であればフランシス水車以外の水力機械にも、本発明による水力機械の吸出し管を適用することもできる。
【符号の説明】
【００５２】
１      フランシス水車
５      ランナ
８      吸出し管
１０    上部ドラフト
１１    エルボ
１２    拡大管
１３    ピア
２１    第１流路
２１ａ  天井面
２１ｂ  底面
２２    第２流路
２２ａ  天井面
２２ｂ  底面
２３    第１流路用肉盛部
２４    第２流路用肉盛部
【図１】
2015206293.tif 000003
【図２】
2015206293.tif 000004
【図３】
2015206293.tif 000005
【図４】
2015206293.tif 000006
【図５】
2015206293.tif 000007
【図６】
2015206293.tif 000008
【図７】
2015206293.tif 000009
【図８】
2015206293.tif 000010